(57)【特許請求の範囲】
【請求項１】
光源、前記光源から射出される光束を光ディスクの記録面に集光させる対物レンズ、前記光ディスクの記録面から反射される光束を受光し、受光量に対応する検出信号を出力する光検出器を有する光ピックアップと、
前記光ピックアップを前記光ディスクの半径方向に移動させる第１の駆動手段と、
前記対物レンズを前記光ディスクの半径方向に移動させると共に、前記対物レンズを前記光ディスクの記録面と略垂直な方向に移動させる第２の駆動手段と、
前記光検出器により検出される検出信号に基づいて生成されたフォーカスエラー信号の増幅を行う増幅手段と、
前記増幅手段により増幅したフォーカスエラー信号に基づいて、前記光ディスクのメディアの種類及び当該光ディスクの読み出し可能な面の層数を判定する判定手段と、
前記光ディスクのリードインデータより当該光ディスクの記録面の層数を読み出す読み出し手段と、
前記判定手段により判定された光ディスクの読み出し可能な面の層数と、前記読み出し手段により読み出された光ディスクの記録面の層数と、が一致しない場合、前記増幅手段の増幅度を増加させて前記フォーカスエラー信号を増幅し、当該増幅したフォーカスエラー信号に基づいて前記光ディスクの読み出し可能な面の層数を決定する制御手段と、
を備えることを特徴とする光ディスク再生装置。
【請求項２】
前記制御手段は、
前記フォーカスエラー信号のＳ字状のカーブの数の判定を行い、当該フォーカスエラー信号のＳ字状のカーブが１つの場合は、前記光ディスクの読み出し可能な面の層数が１層であると決定し、前記フォーカスエラー信号のＳ字状のカーブが複数の場合は、前記光ディスクの読み出し可能な面の層数がＳ字状のカーブの数であると決定することを特徴とする請求項１に記載の光ディスク再生装置。
【請求項３】
前記制御手段は、
前記フォーカスエラー信号のＳ字状のカーブが１つの場合は、前記増幅手段の増幅度をさらに増加させてフォーカスエラー信号を増幅させ、当該増幅されたフォーカスエラー信号のＳ字状のカーブの数の判定を再度行い、当該Ｓ字状のカーブの数の判定回数が所定回数以上、且つフォーカスエラー信号のＳ字状のカーブが１つのとき、前記光ディスクの読み出し可能な面の層数が１層であると決定することを特徴とする請求項２に記載の光ディスク再生装置。
【請求項４】
光源、前記光源から射出される光束を光ディスクの記録面に集光させる対物レンズ、前記光ディスクの記録面から反射される光束を受光し、受光量に対応する検出信号を出力する光検出器を有する光ピックアップと、前記光ピックアップを前記光ディスクの半径方向に移動させる第１の駆動手段と、前記対物レンズを前記光ディスクの半径方向に移動させると共に、前記対物レンズを前記光ディスクの記録面と略垂直な方向に移動させる第２の駆動手段と、を備える光ディスク再生装置の光ディスク再生方法において、
前記光検出器により検出される検出信号に基づいて生成されたフォーカスエラー信号の増幅を増幅手段により行う増幅工程と、
前記増幅工程により増幅したフォーカスエラー信号に基づいて、前記光ディスクのメディアの種類及び当該光ディスクの読み出し可能な面の層数を判定手段により判定する判定工程と、
前記光ディスクのリードインデータより当該光ディスクの記録面の層数を読み出し手段により読み出す読み出し工程と、
前記判定工程により判定された光ディスクの読み出し可能な面の層数と、前記読み出し工程により読み出された光ディスクの記録面の層数と、が一致しない場合、前記増幅手段の増幅度を増加させて前記フォーカスエラー信号を増幅し、当該増幅したフォーカスエラー信号に基づいて前記光ディスクの読み出し可能な面の層数を決定する制御工程と、
を含むことを特徴とする光ディスク再生方法。
【請求項５】
コンピュータを、
光検出器により検出される検出信号に基づいて生成されたフォーカスエラー信号の増幅を行う増幅手段、
前記増幅手段により増幅したフォーカスエラー信号に基づいて、光ディスクのメディアの種類及び当該光ディスクの読み出し可能な面の層数を判定する判定手段、
前記光ディスクのリードインデータより当該光ディスクの記録面の層数を読み出す読み出し手段、
前記判定手段により判定された光ディスクの読み出し可能な面の層数と、前記読み出し手段により読み出された光ディスクの記録面の層数と、が一致しない場合、前記増幅手段の増幅度を増加させて前記フォーカスエラー信号を増幅し、当該増幅したフォーカスエラー信号に基づいて前記光ディスクの読み出し可能な面の層数を決定する制御手段、
として機能させるための光ディスク再生プログラム。
【発明の詳細な説明】
【技術分野】
【０００１】
本発明は、光ディスク再生装置、光ディスク再生方法及び光ディスク再生プログラムに関する。
【背景技術】
【０００２】
従来から、光情報記憶媒体であるＤＶＤ（Digital Versatile Disc）、ＣＤ（Compact Disc）などにデータを記録し、或いは記録されたデータを再生する光ディスク再生装置が知られている。当該光ディスク再生装置は、光源から出射された光束をプリズム等で反射させて対物レンズに導く。そして、当該対物レンズから光情報記憶媒体（以下、光ディスク）の情報記録面に光を集光させ、その反射光を光検出器で受光する。これにより、光ディスクにデータの再生又は記録を行うことが出来る。
【０００３】
光ディスクはＤＶＤの場合、記録面の層数は１層と２層のものとに分けられる。当該光ディスクは、記録面の層数とデータ読み出し可能な面の層数とは一致しており、これらの層数が経時的に変化することはない。しかし、光ディスクの中には、４８ＤＶＤと呼ばれる特殊なディスクもある。ここで、４８ＤＶＤとは、真空のパッケージを開封してから４８時間経過すると、多層ディスクの上の層が読取れなくなるＤＶＤのことをいう。したがって、４８ＤＶＤは、パッケージ開封後４８時間を経過すると、データの読み出し可能な面の層数が変化してしまう。
【０００４】
光ディスクの記録面の層数の判定は、リードインデータを読み出すことにより行われる。ここで、リードインデータとは、光ディスクのリードイン領域に含まれている光ディスクの記録面の層数を示すデータのことである。
また、光ディスクの記録面の層数の判定方法は、フォーカスエラー信号を用いて判定する方法もある。この場合、焦点を光ディスクに対してスイ−プ（フォーカススイ−プ）する。そして、Ｓ字状のフォーカスエラー信号の数をカウントすることにより、光ディスクの記録面の層数を判定することができる（例えば、特許文献１参照）。
【特許文献１】特開２００３−２１７１３５号公報
【発明の開示】
【発明が解決しようとする課題】
【０００５】
しかしながら、上記従来技術では、Ｓ字状のフォーカスエラー信号と、リードインデータとの判定結果が一致しない場合、リードインデータの結果を反映していた。即ち、４８ＤＶＤのような光ディスクの場合、４８時間経過した後ではリードインデータに基づく光ディスクの記録面の層数と、実際に読み出し可能な面の層数と、が一致しないこととなる。
この場合、光ディスク再生装置は、読み出し（再生）動作の開始時に、リードインデータに基づいて、再生できない層のデータを再生する動作を行うので、再生可能な層のデータを再生することができない。このため、４８ＤＶＤのような光ディスクにおいて、再生可能な層のデータ再生を実現する要請があった。
また、再生できない層へのサーボ制御が行われると、最悪の場合、光ディスク再生装置のハングアップが発生する。このため、光ディスク再生装置の円滑な再生動作を実現する要請があった。
さらに、再生できない層へのサーボ制御が行われると、光ディスクに傷を付けてしまうという問題があった。このため、光ディスク再生装置の保護を行う要請があった。
【０００６】
そこで、本発明の課題は、光ディスクの再生可能な層のデータ再生、光ディスク再生装置の円滑な再生動作及び光ディスク再生装置の保護を実現することである。
【課題を解決するための手段】
【０００７】
上記課題を解決するため、請求項１に記載の発明の光ディスク再生装置は、
光源、前記光源から射出される光束を光ディスクの記録面に集光させる対物レンズ、前記光ディスクの記録面から反射される光束を受光し、受光量に対応する検出信号を出力する光検出器を有する光ピックアップと、
前記光ピックアップを前記光ディスクの半径方向に移動させる第１の駆動手段と、
前記対物レンズを前記光ディスクの半径方向に移動させると共に、前記対物レンズを前記光ディスクの記録面と略垂直な方向に移動させる第２の駆動手段と、
前記光検出器により検出される検出信号に基づいて生成されたフォーカスエラー信号の増幅を行う増幅手段と、
前記増幅手段により増幅したフォーカスエラー信号に基づいて、前記光ディスクのメディアの種類及び当該光ディスクの読み出し可能な面の層数を判定する判定手段と、
前記光ディスクのリードインデータより当該光ディスクの記録面の層数を読み出す読み出し手段と、
前記判定手段により判定された光ディスクの読み出し可能な面の層数と、前記読み出し手段により読み出された光ディスクの記録面の層数と、が一致しない場合、前記増幅手段の増幅度を増加させて前記フォーカスエラー信号を増幅し、当該増幅したフォーカスエラー信号に基づいて前記光ディスクの読み出し可能な面の層数を決定する制御手段と、
を備えることを特徴とする。
【０００８】
請求項２に記載の発明は、請求項１に記載の光ディスク再生装置において、
前記制御手段は、
前記フォーカスエラー信号のＳ字状のカーブの数の判定を行い、当該フォーカスエラー信号のＳ字状のカーブが１つの場合は、前記光ディスクの読み出し可能な面の層数が１層であると決定し、前記フォーカスエラー信号のＳ字状のカーブが複数の場合は、前記光ディスクの読み出し可能な面の層数がＳ字状のカーブの数であると決定することを特徴とする。
【０００９】
請求項３に記載の発明は、請求項２に記載の光ディスク再生装置において、
前記制御手段は、
前記フォーカスエラー信号のＳ字状のカーブが１つの場合は、前記増幅手段の増幅度をさらに増加させてフォーカスエラー信号を増幅させ、当該増幅されたフォーカスエラー信号のＳ字状のカーブの数の判定を再度行い、当該Ｓ字状のカーブの数の判定回数が所定回数以上、且つフォーカスエラー信号のＳ字状のカーブが１つのとき、前記光ディスクの読み出し可能な面の層数が１層であると決定することを特徴とする。
【００１０】
請求項４に記載の発明の光ディスク再生方法は、
光源、前記光源から射出される光束を光ディスクの記録面に集光させる対物レンズ、前記光ディスクの記録面から反射される光束を受光し、受光量に対応する検出信号を出力する光検出器を有する光ピックアップと、前記光ピックアップを前記光ディスクの半径方向に移動させる第１の駆動手段と、前記対物レンズを前記光ディスクの半径方向に移動させると共に、前記対物レンズを前記光ディスクの記録面と略垂直な方向に移動させる第２の駆動手段と、を備える光ディスク再生装置の光ディスク再生方法において、
前記光検出器により検出される検出信号に基づいて生成されたフォーカスエラー信号の増幅を増幅手段により行う増幅工程と、
前記増幅工程により増幅したフォーカスエラー信号に基づいて、前記光ディスクのメディアの種類及び当該光ディスクの読み出し可能な面の層数を判定手段により判定する判定工程と、
前記光ディスクのリードインデータより当該光ディスクの記録面の層数を読み出し手段により読み出す読み出し工程と、
前記判定工程により判定された光ディスクの読み出し可能な面の層数と、前記読み出し工程により読み出された光ディスクの記録面の層数と、が一致しない場合、前記増幅手段の増幅度を増加させて前記フォーカスエラー信号を増幅し、当該増幅したフォーカスエラー信号に基づいて前記光ディスクの読み出し可能な面の層数を決定する制御工程と、
を含むことを特徴とする。
【００１１】
請求項５に記載の発明の光ディスク再生プログラムは、
コンピュータに、
光検出器により検出される検出信号に基づいて生成されたフォーカスエラー信号の増幅を行う増幅手段、
前記増幅手段により増幅したフォーカスエラー信号に基づいて、光ディスクのメディアの種類及び当該光ディスクの読み出し可能な面の層数を判定する判定手段、
前記光ディスクのリードインデータより当該光ディスクの記録面の層数を読み出す読み出し手段、
前記判定手段により判定された光ディスクの読み出し可能な面の層数と、前記読み出し手段により読み出された光ディスクの記録面の層数と、が一致しない場合、前記増幅手段の増幅度を増加させて前記フォーカスエラー信号を増幅し、当該増幅したフォーカスエラー信号に基づいて前記光ディスクの読み出し可能な面の層数を決定する制御手段、
として機能させることを特徴とする。
【発明の効果】
【００１２】
本発明によれば、光ディスクの再生可能な層のデータ再生、光ディスク再生装置の円滑な再生動作及び光ディスク再生装置の保護を実現することができる。
【発明を実施するための最良の形態】
【００１３】
以下、添付図面を参照して本発明に係る実施の形態を詳細に説明する。ただし、発明の範囲は、図示例に限定されない。
【００１４】
図１〜図４を参照して、本発明に係る実施の形態を説明する。図１に本発明に係る光ディスク再生装置１の装置構成を説明する。図２及び図３に、光ディスク再生装置１で実行される動作の流れについて説明する。図４に、特殊メディア判定処理の流れを示す。
【００１５】
先ず、光ディスク再生装置１の装置構成について説明する。図１に示すように、光ディスク再生装置１は、記憶媒体としての光ディスク１１に記録された映像データや音声データ等を順次読み出して再生するものである。具体的には、商用電源や電池電源などで駆動して映像データや音楽データの再生又は記録を行う装置であり、据え置いての設置、携行、車載等が可能なものである。
【００１６】
光ディスク再生装置１は、スピンドルモータ１２、スピンドルドライバ１３、光ピックアップ１４、対物レンズ１５、光検出器１６、光検出回路１６Ａ、光源１７、第１の駆動手段としての送りモータ１８、トラッキングドライバ１９、増幅手段としてのＲＦ（Radio  Frequency）アンプ２０、フォーカスドライバ２１、第２の駆動手段としてのアクチュエータ２２、デジタル信号処理回路２３、判定手段、読み出し手段、制御手段としての制御部２６、操作部２７、表示部２８、計時部２９、記憶部３０及びディスク搬送部３１を備えて構成される。
【００１７】
光ディスク１１は、ＣＤ、ＣＤ−Ｒ／ＲＷ（Recordable／ReWriteable）、ＤＶＤ、ＤＶＤ−Ｒ／ＲＷ等である。
【００１８】
スピンドルモータ１２は、デジタル信号処理回路２３に制御されて、特に図示しないターンテーブルやクランプ機構にて保持する光ディスク１１を、所定の回転速度で回転駆動する。スピンドルドライバ１３は、制御部２６内のＣＰＵによる指示に基づく制御信号に応じた駆動信号を、スピンドルモータ１２に出力し、当該スピンドルモータ１２を駆動させる。
【００１９】
光ピックアップ１４は、デジタル信号処理回路２３の制御により、光ディスク１１にレーザ光を照射して映像データ及び音声データ等（以下、映像データ及び音声データ等をデータとする）の再生を可能とするためのものである。
【００２０】
光ピックアップ１４は、検出したデータ信号をＲＦアンプ２０に出力する。対物レンズ１５は、光源１７から射出された光束を光ディスク１１の記録面に集光させると共に光ディスク１１の記録面から反射された反射光束を集光する。光検出器１６は、対物レンズ１５が集光した反射光束を受光して、反射光束に応じた電気信号に変換する。光検出回路１６Ａは、光検出器により検出された検出信号に基づいて、トラッキングエラー信号（ＴＥ信号）、フォーカスエラー信号（ＦＥ信号）を生成する。
【００２１】
光源１７は、レーザ光を発生する半導体レーザダイオードである。当該半導体レーザダイオードは、波長の異なるＣＤレーザダイオード及びＤＶＤレーザダイオードとを有する。
【００２２】
送りモータ１８は、デジタル信号処理回路２３の制御により、光ディスク１１の半径方向に光ピックアップ１４を移動させる。トラッキングドライバ１９は、制御部２６内のＣＰＵによる指示に基づく制御信号に応じた駆動信号を、アクチュエータ２２に出力し、当該アクチュエータ２２を駆動させる。
【００２３】
ＲＦアンプ２０は、ＴＥ信号、ＦＥ信号等を増幅する。ＲＦアンプ２０は、増幅した各種信号をデジタル信号処理回路２３に出力する。
【００２４】
フォーカスドライバ２１は、制御部２６内のＣＰＵによる指示に基づく制御信号に応じた駆動信号を、アクチュエータ２２に出力し、当該アクチュエータ２２を駆動させる。アクチュエータ２２は、対物レンズ１５を光ディスク１１の記録面と垂直な方向（以下、フォーカス方向）に移動させて光ディスク１１の記録面に集光される光束の焦点を調整する。また、アクチュエータ２２は、トラッキングドライバ１９から出力された駆動信号に応じて、対物レンズ１５を光ディスク１１の半径方向に移動させる。
【００２５】
デジタル信号処理回路２３は、制御部２６により制御される信号処理回路である。デジタル信号処理回路２３は、ＲＦアンプ２０が増幅した信号等に基づいて、スピンドルドライバ１３、トラッキングドライバ１９、ＲＦアンプ２０、フォーカスドライバ２１に駆動用の制御信号を出力する。
【００２６】
制御部２６は、マイクロプロセッサ等から構成され、デジタル信号処理回路２３、操作部２７、表示部２８、計時部２９、記憶部３０及びディスク搬送部３１を制御することで、光ディスク再生装置１の動作を中央制御する。制御部２６は、特に図示しないが、ＣＰＵ（Central  Processing  Unit）、ＲＡＭ（Random  Access  Memory）、ＲＯＭ（Read  Only  Memory）等を備える。
【００２７】
制御部２６は、ＲＯＭに格納されているシステムプログラム及び各種アプリケーションプログラムの中から指定されたプログラムや記憶部３０に格納されたデータを読み出してＲＡＭに展開し、そのＲＡＭに展開されたプログラムやデータとの協働で、各種処理を実行する。特にＲＯＭには、後述するＦＥ信号による特殊メディア判定プログラムが記憶される。
【００２８】
制御部２６は、ＦＥ信号による特殊メディア判定プログラムにより、ＦＥ信号に基づいて光ディスク１１の記録面の層数を決定する。
【００２９】
操作部２７は、停止キー、再生キー、早戻しキー、早送りキー、ディスク取り出しキー等の各種キーを有する操作パネル等から構成され、利用者の操作入力によって指示された音声データの再生／記録の開始又は停止、光ディスク１１の排出、などの指示情報を制御部２６に出力する。
【００３０】
表示部２８は、ＬＣＤ（Liquid  Crystal  Display）パネルや有機ＥＬ（Electro  Luminescence）素子を用いたＦＰＤ（Flat  Panel  Display）、ＬＥＤ（Light  Emitting  Diode）等から構成され、制御部２６の制御により、再生・記録時間、トラック番号、ボリューム等の動作状況や各種設定状況に関する情報を表示する。
【００３１】
計時部２９は、特に図示しない常時一定周波数を発信する水晶発振器によるクロック信号を基準に、制御部２６の制御により、実際の時間を計測し、その計測した時間情報を制御部２６に出力する回路部である。
【００３２】
記憶部３０は、電気的にデータの書き換えが可能な不揮発性のメモリであり、各種情報を格納する。
【００３３】
ディスク搬送部３１は、制御部２６からの制御により、ターンテーブルやクランプ機構などで装置内に保持された光ディスク１１をスピンドルモータなどの駆動機構により搬送する可動トレイなどであり、当該装置から光ディスク１１を容易に取り外すことができるようにするものである。なお、ディスク搬送部３１は、光ディスク１１を取り外し自在にするものであれば上述した構成に限定するものでは無く、例えば、蓋部とそれを開閉する機構であり、装置内に保持されたままの光ディスク１１を取り外し自在にするものであってもよい。
【００３４】
次に、本実施の形態の動作について図２〜図４を参照して説明する。先ず、図２及び図３を参照して、光ディスク再生装置１で実行されるＤＩＳＣメディア判定処理、リードインデータの読み込み処理及びＦＥ信号による特殊メディア判定処理の流れを説明する。ここで、ＤＩＳＣメディア判定処理とは、光ディスク１１のメディアの種類及び当該光ディスク１１の読み出し可能な面の層数を判定する処理である。例えば、ＤＩＳＣメディア判定処理により、光ディスク１１がＣＤであるのかＤＶＤであるのか判別される。また、光ディスク１１の読み出し可能な面の層数が判定される。光リードインデータの読み込み処理とは、光ディスク１１に記憶されているリードインデータを読み出して、光ディスク１１の記録面の層数を判定する処理である。ＥＦ信号による特殊メディア判定処理については、後述する。
【００３５】
図２に示すＦｃ＿ＤＲＶは、フォーカスドライバ２１からアクチュエータ２２に出力される信号を示す。ＴｒＫ＿ＤＲＶは、トラッキングドライバ１９の動作を示す。Ｓｐｄｌ＿ＤＲＶは、スピンドルドライバ１３の動作を示す。ＦＥ信号は、フォーカスエラー信号を示す。ＦＳ信号は、フォーカス信号を示す。ＴＥ信号はトラッキングエラー信号を示す。
【００３６】
先ず、図２を参照して、ＤＩＳＣメディア判定処理について説明する。ここで、ＤＩＳＣメディア判定処理とは、光ディスク１１のメディアの種類及び当該光ディスク１１の読み出し可能な面の層数を判定する処理である。
先ず、ＣＤＬＤ（Laser Diode）がＯＮされる。ここで、ＣＤＬＤがＯＮされるとは、ＣＤＬＤから光が光ディスク１１に対して射出されることをいう。ＣＤＬＤがＯＮされると光ディスク１１のフォーカス方向に対物レンズ１５の上下動作が行われる。このとき、図２のＦｃ＿ＤＲＶに示すように、フォーカスドライバ２１より、対物レンズ１５をフォーカス方向に駆動させる信号が出力される。同時に、図２のＴｒｋ＿ＤＲＶに示すように、トラッキングドライバ１９より光ピックアップ１４をウォブリング動作させる信号が出力される。ここで、ウォブリングとは、光ディスク１１の半径方向に光ピックアップ１４が振動する動作のことをいう。また、図２のＳｐｄｌ＿ＤＲＶに示すように、スピンドルドライバ１３よりスピンドルモータ１２の動作設定が行われる。例えば、図２の例では、スピンドルモータ１２の動作設定は「Ｓｐｉｎdｌｅ  ｓｅｒｖｏ  ＣＡＶ（１０００ｒｐｍ）」に設定される。この場合、スピンドルモータが１０００回転／１分で動作することを示している。また、ＣＬＶ（Constant Linear Velocity）はスピンドルモータ１２を一定線速度で設定することを示している。ＣＬＶ（ｒｏｕｇｈ）、ＣＬＶ（ＤＶＤ）は、ＣＬＶの設定モードをそれぞれ示している。
【００３７】
ＣＤＬＤがＯＮされた後、対物レンズ１５をフォーカス方向に駆動させたときに得られる光ディスク１１の記録面から反射された信号が光検出器１６より検出される。そして、当該検出信号に基づいて光検出回路１６ＡよりＦＥ信号及びＴＥ信号が生成される。生成されたＦＥ信号及びＴＥ信号は、ＲＦアンプ２０により増幅される。このとき、ＦＥ信号は、フォーカス方向に上昇させた場合と下降させた場合の信号がそれぞれ検出される。ここで、フォーカス方向に上昇させた場合とは、対物レンズ１５を光ディスク１１に対して近づけた場合のことをいう。また、フォーカス方向に下降させた場合とは、対物レンズ１５を光ディスク１１に対して遠ざけた場合のことをいう。例えば、フォーカス方向に上昇させたときの信号が図２のＦＥ１となる。また、フォーカス方向に下降させた場合の信号が図２のＦＥ２となる。
【００３８】
また、ＦＥ信号は、ＦＥ１，ＦＥ２に示すようにＳ字状の波形となる。このとき、光ディスク１１の記録面が１層であれば、Ｓ字状の波形は１つとなる。本実施例では、対物レンズ１５をフォーカス方向に上昇、下降させているので、Ｓ字状のカーブが２つ生じている（図２中のＦＥ１及びＦＥ２）。したがって、Ｓ字状のカーブは光ディスク１１の記録面が１層であれば、２つ出ることとなる。図２の例では、ＦＥ１及びＦＥ２は、Ｓ字状の波形がそれぞれ１つであるので、光ディスクの記録面は１層であると判別される。また、光ディスク１１の表面からの微小のＦＥ信号も検出される。
【００３９】
同様に、ＣＤＬＤがＯＮされた状態で、対物レンズ１５をフォーカス方向に駆動させたときのＦＳ信号が得られる。ＦＳ信号は、フォーカスが一致したとき（光軸の焦点が光ディスク１１の層面に一致したとき）にピークを示す。
【００４０】
次いで、ＤＶＤＬＤがＯＮされる。図２の例では、ＤＶＤＬＤがＯＮされた時の信号を実線で示している（ＤＶＤＬＤ  ＯＮ）。ＤＶＤＬＤがＯＮされると、ＣＤＬＤで行われた処理と同じ処理が行われる。
【００４１】
そして、光ディスク１１のメディア判定が行われる。光ディスク１１のメディア判定は、例えば、ＦＥ信号に基づいて判定される。ここで、ＦＥ信号に基づいて判定するとは、ＣＤＬＤ及びＤＶＤＬＤをＯＮしたときに得られるＦＥ信号に基づいてメディア判定を行うことをいう。例えば、図２ではＦＥ信号に基づいて光ディスク１１のメディアを判定することができる。
本実施例では、光ディスク１１はＤＶＤ１層であると判別されるとする。光ディスクのメディアが判別されると、ＤＩＳＣメディア判定処理は終了する。
【００４２】
ＤＩＳＣメディア判定処理が終了すると、フォーカスサーボがＯＮされる。フォーカスサーボがＯＮされると、ＦＥ信号は一定値となるようにＦｃ＿ＤＲＶが制御される。ＦＳ信号はほぼ一定値を示す。また、ＴＥ信号は、一定の振幅を有した信号が検出される。図２及び図３の例では、ＴＥ信号ＴＥ１〜３は、一定の振幅を有した信号を示す。
【００４３】
次いで、リードインデータの読み込み処理が行われる。ここで、リードインデータの読み込み処理とは、光ディスク１１のリードイン領域から光ディスク１１の記録面の層数データを読み込む処理である。ここで、リードイン領域とは、光ディスク１１に記録されるデータの領域のことである。具体的には、光ディスク１１の記録面の層数やトラック情報等をＴＯＣ（Table Of Contents）情報として記録するとともに、次セッションのプログラム領域の開始アドレス等が記録された領域のことをいう。図２の例では、リードインデータの読み込み処理により光ディスク１１は２層であると判定される。
したがって、ＤＩＳＣメディア判定処理とリードインデータ読み込み処理とでは、光ディスク１１の層数の判定結果が異なる。この場合、ＦＥ信号による特殊メディア判定処理が行われる。
【００４４】
次いで、図４を参照して、光ディスク再生装置１で実行されるＦＥ信号による特殊メディア判定処理について説明する。ＦＥ信号による特殊メディア判定処理は、ＦＥ信号に基づいて、光ディスク１１（ＤＶＤ）の読み出し可能な面の層数を判定する処理である。
【００４５】
例えば、光ディスク再生装置１において、ＤＩＳＣメディア判定処理の結果と、リードインデータの読み込み処理の結果と、が異なる旨の指示がＣＰＵに入力される。すると、当該入力をトリガとして、制御部２６でＦＥ信号による特殊メディア判定処理が実行される。
【００４６】
先ず、ＦＥ入力ゲインの初期値設定、ＤＶＤレーザがＯＮ、及びループ処理カウンタが初期化される（ステップＳ１０１）。ここで、ＦＥ入力ゲインの初期値設定とは、ＲＦアンプ２０の増幅度を予め定められた値に設定することをいう。また、ループ処理カウンタとは、特殊メディア判定処理の測定回数をカウントすることをいう。ループ処理カウンタの初期化とは、ループ処理カウンタを初期値「０」に設定することをいう。
【００４７】
そして、光ディスク１１のサーチが行われる（ステップＳ１０２）。ここで、光ディスク１１のサーチとは、対物レンズ１５をフォーカス方向に駆動させるアクチュエータ２２をフォーカス方向に上下させて、ＦＥ信号を得ることをいう。本ステップは図３のＦＥ信号ＦＥ３〜８を検出することに該当する。
【００４８】
そして、検出されたＦＥ信号のＳ字状のカーブが１つであるか否かの判別が行われる（ステップＳ１０３）。即ち、図３のＦＥ信号ＦＥ３〜８のＳ字状カーブが１つであるか否かの判別が行われる。  ステップＳ１０３において、検出されたＦＥ信号のＳ字状のカーブが１つでない場合（ステップＳ１０３；ＮＯ）、光ディスク１１は物理的に多層（２層）ディスクであると判定される（ステップＳ１０８）。ここで、物理的に多層とは、データの記録が可能である光ディスク１１の記録面のうち、読み出し可能な面の層数が多層であることをいう。また、ＦＥ信号のＳ字状のカーブが複数の場合は、光ディスク１１の読み出し可能な面の層数がＳ字状のカーブの数であると決定される。
【００４９】
ステップＳ１０３において、検出されたＦＥ信号のＳ字状のカーブが１つである場合（ステップＳ１０３；ＹＥＳ）、ＲＦアンプ２０のＦＥ入力ゲインが上げられる（ステップＳ１０４）。ここで、ＦＥ入力ゲインを上げるとは、ＦＥ入力ゲインの初期値からＲＦアンプ２０の増幅度（ゲイン）を上昇させることをいう。ＦＥ入力ゲインを上げることにより、ＦＥ信号の振幅が大きくなり、ＦＥ信号の検出が容易となる。
【００５０】
ステップＳ１０４の実行後、ループ処理カウンタが５であるか否かの判別が行われる（ステップＳ１０５）。ここで、ループ処理カウンタのしきい値は、ユーザにより決定される任意の値である。即ち、ループ処理カウンタのしきい値は「Ｎ」（Ｎは２以上の整数）であり、「５」に限定されるものではない。本実施例では、ループ処理カウンタのしきい値を「５」とする。
【００５１】
ステップＳ１０５において、ループ処理カウンタの数が５以上の場合（ステップＳ１０５；ＮＯ）、光ディスク１１は物理的に１層ディスクであると判定される（ステップＳ１０７）。また、ステップＳ１０５において、ループ処理カウンタが５以下の場合（ステップＳ１０５；ＹＥＳ）、ループ処理カウンタの数が＋１される（ステップＳ１０６）。ステップＳ１０６の実行後、ステップＳ１０２に移行される。
ステップＳ１０７，Ｓ１０８の実行後、ＦＥ信号による特殊メディア判定処理は終了する。
【００５２】
本実施の形態では、ＦＥ信号による特殊メディア判定処理により、光ディスク１１がＤＶＤ１層であると判定されたものとする。このＦＥ信号による特殊メディア判定処理の結果に基づいて、光ディスク１１のデータの読み出し（再生）動作が行われる。例えば、制御部２６内部で、図３のＢａｃｋＥｎｄ（以後、ＢＥ）からＦｒｏｎｔＥｎｄ（以後、ＦＥ）に対して、光ディスク１１の２層目のデータを再生する旨の要求が送られるとする。この場合、光ディスク１１はＤＶＤ１層であるので、ＦＥはＢＥに対して２層目のデータ再生は不能であるとの読み取りエラー信号を返す。したがって、データの再生の出来ない２層目に対しては、再生動作を行うことがなくなる。また、ＢＥからＦＥに対して、光ディスク１１の１層目の再生要求があった場合は、光ディスク１１の１層目の再生動作が行われる。したがって、光ディスク１１の１層目のみで再生可能なコンテンツに関しては、再生可能となる。
【００５３】
以上、本実施の形態によれば、特殊メディア判定処理より判定された光ディスク１１の読み出し可能な面の層数と、リードインデータより読み出された光ディスク１１の記録面の層数と、が一致しない場合、フォーカスエラー信号により光ディスク１１の読み出し可能な面の層数を決定することができる。これにより、光ディスク１１の読み出し（再生）可能な面の層数を正確に把握することができ、光ディスク１１も再生可能な層のデータ再生を実現することができる。また、データ再生ができない層の再生動作を行うことがないので、光ディスク再生装置１の円滑な再生動作を実現することができる。さらに、データ再生ができない層の再生動作を行うことがないので、光ディスク再生装置１及び光ディスク１１に対して保護を行うことができる。
【００５４】
また、フォーカスエラー信号のＳ字状のカーブが１つの場合は、光ディスク１１の読み出し可能な面の層数が１層であると判定し、フォーカスエラー信号のＳ字状のカーブが複数の場合は、光ディスク１１の読み出し可能な面の層数がＳ字状のカーブの数であると決定することができる。これにより、光ディスク１１の読み出し可能な面の層数を正確に把握することができる。
【００５５】
また、光ディスク１１がデータ書き込みの途中で書き込みを終了してしまったディスク（例えば２層に記録をする途中、１層のみで記録を終了してしまったディスク）でも、データの再生可能な層の正常な再生ができる。また、データの再生ができない層へのサーボ制御動作は行われないので、光ディスク再生装置１の保護及びハングアップ等の問題回避を行うことができる。
【００５６】
その他、上記実施の形態における光ディスク再生装置１の細部構成及び詳細動作に関しても、本発明の趣旨を逸脱しない範囲で適宜変更可能である。
【図面の簡単な説明】
【００５７】
【図１】本発明に係る光ディスク再生装置１の概要断面構成図である。
【図２】本発明に係る光ディスク再生装置１の動作の流れを示した図である。
【図３】本発明に係る光ディスク再生装置１の動作の流れを示した図である。
【図４】特殊メディア判定処理の流れを示すフローチャートである。
【符号の説明】
【００５８】
１  光ディスク再生装置
１１   光ディスク
１２   スピンドルモータ
１３   スピンドルドライバ
１４   光ピックアップ
１５   対物レンズ
１６   光検出器
１７   光源
１８   トラッキングモータ
１９   トラッキングドライバ
２０   ＲＦアンプ
２１   フォーカスドライバ
２２   アクチュエータ
２３   デジタル信号処理回路
２６   制御部
２７   操作部
２８   表示部
２９   計時部
３０   記憶部
３１   ディスク搬送部
【図１】
0004610519.tif 000002
【図２】
0004610519.tif 000003
【図３】
0004610519.tif 000004
【図４】
0004610519.tif 000005